(57)【特許請求の範囲】
【請求項１】
熱接着性層を有する積層合成樹脂フィルムの熱接着性層を対向させ、天面及び底面に前記合成樹脂フィルムの熱接着層を外側にして二つ折りにして介在させ、これらの周縁部を熱融着し、底面部は開底して自立性を持たせると共に天面の上縁部は二俣状に分岐させた点滴用薬液収納包装袋であって、該包装袋の二俣状に分岐した一方の先端部を充填口とし、他方の先端部に点滴用チューブを連結する連結口と薬液を補給する補給口とを設けた注出口部材を取り付けたことを特徴とする自立性を有する点滴用薬液収納包装袋。
【請求項２】
請求項１記載の点滴用薬液収納包装袋において、注出口部材を取り付けた面材の先端部の幅を注出口部材の幅と一致させ、該一致点と天面の分岐点とを直線状に融着、更に必要に応じて融着の外側の面材の肩部を切断させることを特徴とする点滴用薬液収納包装袋。
【発明の詳細な説明】
【０００１】
【産業上の利用分野】
本発明は、自立性を有する点滴用薬液を収納する包装袋に関し、特に加温可能にすると共に点滴使用中に薬液を補給することができる点滴用薬液収納包装袋に関する。
【０００２】
【従来技術】
内面に熱接着性層を有する合成樹脂フィルムの周縁部を熱融着した可撓性包装袋の一端を懸垂用ポールに吊るし、下方端部に設けた注出口に投与チューブを接続し、該チューブを介して体内に薬液を注入することは広く知られているところである。ところで点滴用薬液として、例えば経管経腸栄養剤（以下、単に栄養剤という）を内容品とする場合、栄養剤の初期導入時に患者の病態にあわせて希釈して使用し、安定使用時においても、栄養剤のみでは不足する薬剤や水分を補給するのが一般的である。そのため栄養剤投与後の水分補給を含め、水分を追加するときは投与チューブを外し、包装袋を上下端部を逆にして、水の注入を行う必要があり、その作業が複雑で、衛生管理上の問題があった。
【０００３】
【発明が解決しようとする課題】
かかる事情に鑑み、本発明者らは、先に点滴用薬液の投与中において水分等の補給を可能にした点滴用包装袋を提案した（特願平８−３４９４３５号参照）。この点滴用包装袋によって点滴用薬液の投与に際して、取扱いが簡便、安全衛生管理に優れ、且つ個々の病態に応じて、その濃度を調整できるようにし、一応の目的を達することができた。しかし、点滴用薬液の中には投与初期において体温と同程度に加温する必要のあるものが存在するが、先に提案した点滴用包装袋ではこの目的を十分達成できない。
そこで、本発明者らは更に検討して点滴用薬液を湯煎等によって加温できる点滴用包装袋について検討した結果、点滴用包装袋に自立性をもたせることによって、点滴用薬液を充填した状態で湯煎等によって加温しうることを見出し、本発明を完成したもので、本発明の目的は点滴用薬液を湯煎等によって加温しうると共に、患者に薬液を投与しながら常にその濃度を調整できるようにした点滴用薬液収納包装袋を提供することにある。
【０００４】
【課題を解決するための手段】
本発明の要旨は、熱接着性層を有する積層合成樹脂フィルムの熱接着性層を対向させ、天面及び底面に前記合成樹脂フィルムの熱接着層を外側にして二つ折りにして介在させ、これらの周縁部を熱融着し、底面部は開底して自立性を持たせると共に天面の上縁部は二俣状に分岐させた点滴用薬液収納包装袋であって、該包装袋の二俣状に分岐した一方の先端部を充填口とし、他方の先端部に点滴用チューブを連結する連結口と薬液を補給する補給口とを設けた注出口を取り付けたことを特徴とする自立性を有する点滴用薬液収納包装袋である。
【０００５】
即ち、本発明の点滴用薬液収納包装袋は、その上縁部を二俣状に分岐させ、その一方の先端部を充填口としたので、該充填口の開口幅は広く、従って、薬液の充填は容易であり、他方の先端部の注出口には、点滴用チューブを接続するための口と、補給用の薬液又は水分を補給するための口とを設けたので、点滴を行いながら、点滴用チューブを取り外すことなく薬液又は水分を補給することができ、更に、該包装袋は自立性を有するので、包装袋内に充填した点滴用薬液を湯煎等によって加温することができる。
【０００６】
【本発明の態様】
本発明について詳細に述べる。
本発明の包装袋を構成する積層合成樹脂フィルムは、二軸延伸ポリエステル、二軸延伸ポリアミド、二軸延伸ポリプロピレン等の比較的機械的強度のあるフィルムを基材とし、少なくともその一方の面にポリエチレン、ポリプロピレン等のポリオレフィン系の熱接着性を有する樹脂層が積層された積層フィルムであって、この積層フィルムの基材にさらに必要性能を付加するために、例えば遮光性を必要とする場合はアルミニウム箔、防気性を必要とする場合はエチレン−ビニルアルコール共重合体フィルム、或いは金属酸化物を蒸着したフィルム等を積層しても良い。本発明の包装袋を構成する積層フィルムの厚さに特に制限はないが、一般的に３０〜１５０μｍ程度である。
【０００７】
本発明にかかる包装袋の上縁部を形成するため、上縁部に包装袋を形成する面材と同様なフィルムを二つ折りにし、このフィルムの側縁部を包装袋の面材の側縁と熱接着して包装袋の上縁部を二俣状にする。包装袋の底面部も同様に熱接着層を有するフィルムを二つ折りにし、包装袋の表裏の面材間に介在させ底面を形成するように熱接着して自立性を付与する。
このようにして形成された二俣状に分岐した上縁部の一方の先端部を開口して充填口とし、他方の先端部は注出口部材を熱接着した注出部とする。薬液等はこの充填口より充填した後封緘する。薬液の充填に際し自動充填機を使用する場合には包装袋の両側端部を把持し、面材を吸盤で吸着して開くのであるが、充填口が二俣状に分岐させたその一方であるので、両サイド一杯に開くことができ、従って充填がしやすく、薬液を充填後封緘する位置としては二俣状に分岐した先端部でも、また分岐点近くでも何れでも良く、分岐点近くで封緘することによって使用後の包装袋内の残液量を少なくすることができる。
【０００８】
また、二俣状に分岐させた他方の先端部には注出口部材を熱融着する。注出口部材は、ポリエチレン等の熱接着性樹脂で成形され、先端になるに従って狭ばまっている舟型状のものが好ましく、その中央部に２本の中空の管を直立させ、その一方の管には点滴用チューブが挿入できるようにし、他方の管は外部より薬液が補給できるように開口しておく。点滴用チューブを挿入する管は、挿入したチューブが外れないように段座部を設け、また、開口した管には蓋又はキャップ等を嵌着あるいは螺合できるようにすることが好ましい。
注出口部材を取り付けた面材の先端部の幅を注出口部材の幅と一致させることが好ましく、該一致点と天面の分岐点とを直線状に融着、更に必要に応じて融着の外側部分の面材の肩部を切断させることによって残液量を少なくすることができる。
【０００９】
本発明の包装袋の大きさは、充填する薬液の充填量によって異なるが、一般に３００ｍｌ〜１０００ｍｌであるので、幅１００ｍｍ〜２００ｍｍ、長さ２５０ｍｍ〜４００ｍｍ程度が望ましい。本発明の包装袋の形態は自立袋であるが、その底面の融着部分に孔を設けて懸垂用フックに懸垂できるようにすることが好ましい。
【００１０】
本発明を図面をもって更に具体的に説明する。図１は本発明の包装袋に液を充填した際の斜視図であり、図２はその包装袋の平面図で、（ａ）は表面を（ｂ）は裏面を示し、図３は注入口部材の斜視図である。図において示すように、本発明にかかる包装袋は２枚の面材１（Ａ面）、１’（Ｂ面）とこの面材間に天面及び底面に二つ折にしたフィルム３、３’を介在させてその周縁部２を熱融着し、上縁部が二俣状に分岐した自立性包装袋である。分岐した一方の先端部は開口して充填口４とし、他方の先端部には注出部材５を融着する。注出部材５は、図３に示すように先端部が細くなっている舟形形状とし、その本体部の水平面６に２本の中空の管７、８を貫通、直立させ、該水平面６の下側部分９を包装袋の面材１（Ａ面）と２つ折りにして挿入したフィルム３の間に挟み融着する。注出部材５の一方の管７は注水用チューブが挿入できるように先細とし、更に挿入したチューブが外れないように段差を設け、必要時にこの管７を通して外部から補給液を補充する。他方の管８は、封管又は蓋、キャップ等を嵌着あるいは螺合してあり、外部からの異物の侵入を防止し、使用に際しては先端部を折取り、または蓋、キャップを外して開口し、点滴用チューブに繋げる。包装袋の他端に懸垂用のフックをを設け、懸垂して投与する。
【００１１】
この注出部材５の寸法としては、舟形形状をした水平面の両先端部の間の長さ、即ち横幅は５０〜９０ｍｍで、その縦幅は２０〜４０ｍｍであり、この水平面の下側部分の長さは１０〜３０ｍｍで、この部分が面材フィルムに融着される。この水平面に貫通、直立させた２つの管のうち点滴用チューブが挿入される管８の長さは１０〜３０ｍｍ、注水用チューブが挿入される管７の長さは１０〜５０ｍｍで両チューブの下方の長さは水平面の下側部分の長さと同じである。そして、２つの管の間隙は１０〜３０ｍｍ程度で指が入って管８の先端部を折って開口したり、或いは蓋、キャップを外したりする操作ができることが必要である。
【００１２】
【実施例】
次に実施例をもって本発明の包装袋を更に具体的に説明するが、本発明はこの実施例によって限定されるものではない。
実施例１
ポリエステルフィルム、ナイロンフィルム、ポリプロピレンフィルムを順次積層し、その一方に面にシーラント層としてポリエチレンフィルムを組み合わせて包装袋の面材とし、シーラント層を対向させ、上、下端部に同じ積層フィルムを二つ折りにして介在させて下端部に底面を構成すると共に、上端部に断面形状がＹ字型形状となるように周縁部を熱融着して包装袋を構成した。その包装袋の大きさは横幅が約１２０ｍｍ、高さが２２０ｍｍで、その容積は約３５０ｍｌであった。二俣状に分岐した端部の一方の口は開口して充填口とし、他方の口には注出部材を融着した。
【００１３】
注出部材はポリエチレンで形成され、その大きさは先に述べた寸法のものであった。充填口より点滴用薬剤として経口栄養剤を充填後、該充填口を二俣状に分岐した元の部分で熱封した。この充填済みの投与バッグを蒸気式静置レトルトを用いて、１２２℃において８分間の条件で滅菌処理を行なった。
この包装袋内の薬液を患者に投与するに先立ち、湯煎中に入れ、約３６℃の体温に近い温度に加温した。加温後、注出口の一方の管に投与用のカテーテルまたはチューブを他方の管に注水用のチューブをそれぞれ接合し、患者に投与したところ安定して患者に薬液を投与することができた。
【００１４】
【発明の効果】
以上述べたように、本発明の包装袋は自立性を有する袋であるので、湯煎等の加温器で投与前に薬液を加温することができ、包装袋の上縁部に２つ折りにしたフィルムを介在させて二俣状に分岐させ、その一方の先端部を開口して薬液の充填口としたので充填口の幅は広く、従って薬液の充填はしやすく、特に自動充填機で充填する場合はその効果は顕著である。そして、他の先端部には２つ口の注出部材を融着し、一方の口は点滴用のチューブを挿入できるようにし、他方の口は補給液の補給口としてあるので、一方の口より投与しながら補給液を補給することが可能となる。
【図面の簡単な説明】
【図１】  本発明の包装袋の斜視図
【図２】  同包装袋の平面図
【図３】  注出部材の斜視図
【符号の説明】
１（Ａ面）、１’（Ｂ面）  包装袋の面材    ２  周縁融着部
３、３’  端部２つ折り状フィルム          ４  充填口
５        注出部材      ６  注出部材の水平面
７、８    中空管        ９  注出部材の水平面下側部
【図１】
0003889496.tif 000002
【図２】
0003889496.tif 000003
【図３】
0003889496.tif 000004